(57)【特許請求の範囲】
【請求項１】
ネットワークプロトコルスタックに従って形成され、セルラー基地局からオフロードされるユーザデータを含む無線ローカルエリアネットワーク（ＷＬＡＮ）パケットを受信するよう構成されたユーザ機器（ＵＥ）用の回路であって、
前記ユーザデータが、データ無線ベアラを識別するデータ無線ベアラ識別子（ＤＲＢＩＤ）に基づいて送信されるべき前記ネットワークプロトコルスタックの上層に関連付けられた前記データ無線ベアラの前記ＤＲＢＩＤを格納するよう構成されたメモリと、
ベースバンド処理回路と
を備え、
前記ベースバンド処理回路は、
前記データ無線ベアラを識別すべく、前記ＷＬＡＮパケットの第１データユニットを処理し、前記第１データユニットは、前記ネットワークプロトコルスタックの下層に関連付けられ、ヘッダとデータフィールドを含み、前記ヘッダは、前記ＤＲＢＩＤを有し、前記データフィールドは、前記ユーザデータを含む第２データユニットを有し、
前記第１データユニットからの前記ＤＲＢＩＤ及び前記ヘッダを有さない前記第２データユニットを生成し、
前記ユーザデータを含む前記第２データユニットを前記データ無線ベアラで送信するように構成される、回路。
【請求項２】
前記下層は、ＷＬＡＮ物理レイヤに対応する、請求項１に記載の回路。
【請求項３】
前記下層は、ＷＬＡＮデータリンクレイヤに対応する、請求項１に記載の回路。
【請求項４】
前記上層は、パケットデータコンバージェンスプロトコル（ＰＤＣＰ）レイヤに対応する、請求項１に記載の回路。
【請求項５】
前記ヘッダは、予約されたビットである１または複数のビットを含む、請求項１から４の何れか１つに記載の回路。
【請求項６】
前記データフィールドは、可変サイズである、請求項１から４の何れか１つに記載の回路。
【請求項７】
前記ベースバンド処理回路は、ユーザデータオフロードを構成する無線リソース制御（ＲＲＣ）メッセージを処理するようにさらに構成される、請求項１から４の何れか１つに記載の回路。
【請求項８】
前記ＷＬＡＮパケットは、ＷＬＡＮを介して前記ＵＥに前記ユーザデータを転送するためのイーサタイプを含む、請求項１から４の何れか１つに記載の回路。
【請求項９】
前記データ無線ベアラは、分割ベアラである、請求項１から４の何れか１つに記載の回路。
【請求項１０】
無線通信システム用のユーザ機器（ＵＥ）用の回路であって、
データ無線ベアラを識別するデータ無線ベアラ識別子（ＤＲＢＩＤ）及びユーザデータを含む第１データユニットを格納するよう構成されたメモリと、
プロセッサと
を備え、
前記プロセッサは、
前記ユーザデータが前記ＤＲＢＩＤに基づいて送信されるべきパケットデータコンバージェンスプロトコル（ＰＤＣＰ）レイヤに関連付けられたデータ無線ベアラを識別すべく、無線ローカルエリアネットワーク（ＷＬＡＮ）レイヤからの前記第１データユニットを処理し、
前記第１データユニットからの前記ＤＲＢＩＤ及び関連付けられたヘッダ情報の除去により、前記ユーザデータを含む第２データユニットを生成し、
前記ＰＤＣＰレイヤに関連付けられた前記データ無線ベアラで前記第２データユニットを送信するように構成される、回路。
【請求項１１】
前記ＷＬＡＮレイヤは、物理またはデータリンクレイヤである、請求項１０に記載の回路。
【請求項１２】
前記プロセッサは、ユーザデータオフロードを構成する無線リソース制御（ＲＲＣ）メッセージを処理するようにさらに構成される、請求項１０に記載の回路。
【請求項１３】
前記データ無線ベアラは、分割ベアラである、請求項１０から１２の何れか１つに記載の回路。
【請求項１４】
前記プロセッサは、前記分割ベアラのパケットを並び替えするようにさらに構成される、請求項１３に記載の回路。
【請求項１５】
セルラー基地局の１または複数のプロセッサに、
パケットデータコンバージェンスプロトコル（ＰＤＣＰ）レイヤからの第１パケットを処理する工程と、
前記第１パケットと、前記第１パケットが関連付けられたデータ無線ベアラを識別するデータ無線ベアラ識別子（ＤＲＢＩＤ）を含む第２パケットを生成する工程と、
ユーザ機器（ＵＥ）と前記セルラー基地局との間の無線ローカルエリアネットワーク（ＷＬＡＮ）接続を介した前記ＵＥへの送信のために下層に前記第２パケットを提供する工程と
を実行させるためのプログラム。
【請求項１６】
前記第２パケットが前記データ無線ベアラに関連付けられたユーザデータを含むことを示す前記第２パケットに対するイーサタイプを含めることを含む処理を、前記１または複数のプロセッサにさらに実行させる、請求項１５に記載のプログラム。
【請求項１７】
前記ＷＬＡＮ接続を介したユーザデータオフロードを構成する無線リソース制御（ＲＲＣ）メッセージを生成することを含む処理を、前記１または複数のプロセッサにさらに実行させる、請求項１５に記載のプログラム。
【請求項１８】
前記ＷＬＡＮ接続を介してパケットを送信するために前記データ無線ベアラは、分割ベアラである、請求項１５に記載のプログラム。
【請求項１９】
前記下層は、ＷＬＡＮ物理レイヤである、請求項１５に記載のプログラム。
【請求項２０】
前記下層は、ＷＬＡＮデータリンクレイヤである、請求項１５に記載のプログラム。
【請求項２１】
請求項１５から２０の何れか１つに記載のプログラムを格納するコンピュータ可読記録媒体。
【発明の詳細な説明】
【技術分野】
【０００１】
［関連出願］
本出願は、２０１４年３月１３日に出願された米国仮特許出願第６１／９５２，７７７号、代理人整理番号第Ｐ６４４０８Ｚ号への利益を主張し、当該出願は、その全体が参照により本明細書に組み込まれる。
【０００２】
特許請求の範囲に記載される発明の実装は、一般的に、ワイヤレス通信の分野に関連し得る。
【背景技術】
【０００３】
ワイヤレスローカルエリアネットワーク（ＷＬＡＮ）は、家庭、学校、コンピュータ研究施設、又はオフィスビルのような比較的小さなエリア内で、多くの場合、拡散スペクトル方式又は直交周波数分割多重（ＯＦＤＭ）方式無線であるワイヤレス分散メソッドを使用する、２又はより多くのデバイスをリンクするＷＬＡＮアクセスポイント（ＡＰ）を有するワイヤレスコンピュータネットワークである。このワイヤレス分散メソッドは、ユーザにネットワーク接続を維持し、それにより、より幅広いインターネットへの接続を容易にしながら、ローカルカバレッジエリア内の周囲を移動する能力を提供する。最新のＷＬＡＮは、Ｗｉ−Ｆｉ（登録商標）の商標の下で商業利用される、米国電気電子技術者協会（ＩＥＥＥ）８０２．１１の規格に基づく。
【０００４】
第３世代パートナーシッププロジェクト（３ＧＰＰ）の技術報告（ＴＲ）第２３．８５２（バージョン１２．０．０）は、ＷＬＡＮ経由のポイントツーポイント（ｐｔ−ｔｏ−ｐｔ）通信リンクの識別の複数の態様を記述する。しかしながら、ＴＲ２３．８５２において説明されるポイントツーポイント通信リンクは、ユーザ機器デバイス（又は単にＵＥ）と信頼ＷＬＡＮアクセスゲートウェイ（ＴＷＡＧ）との間にある。
【図面の簡単な説明】
【０００５】
【図１】無線アクセスネットワーク（ＲＡＮ）ベースの統合ＷＬＡＮ及び３ＧＰＰネットワークアーキテクチャのブロック図である。
【０００６】
【図２】ＷＬＡＮトンネリングプロトコル（ＷＬＴＰ）を有する第１の実施形態による、インターネットプロトコル（ＩＰ）ベースのユーザプレーントンネリングプロトコルスタックのブロック図である。
【０００７】
【図３】ＷＬＴＰを有する第２の実施形態による、パケットデータコンバージェンスプロトコル（ＰＤＣＰ）ベース又は無線リンク制御（ＲＬＣ）ベースのユーザプレーントンネリングプロトコルスタックのブロック図である。
【０００８】
【図４】ＷＬＴＰを除く別の実施形態によるＩＰベースのユーザプレーントンネリングプロトコルスタックのブロック図である。
【０００９】
【図５】ＷＬＴＰトランスポートベースの制御メッセージプロトコルスタックのブロック図である。
【００１０】
【図６】２つ実施形態によるＷＬＡＮパケットフォーマットの一対のブロック図である。
【００１１】
【図７】拡張されたＩＰベースのユーザプレーントンネリングプロトコルスタックのブロック図である。
【００１２】
【図８】拡張されたＰＤＣＰデータプロトコルデータユニット（ＰＤＵ）フォーマットのブロック図である。
【００１３】
【図９】ＵＥのブロック図である。
【発明を実施するための形態】
【００１４】
本開示は、第１のポイントとしてのＵＥと、第２のポイントとしての進化型ユニバーサル地上波無線アクセスネットワークノードＢ（進化型ノードＢとしても知られ、ｅＮｏｄｅＢ又はｅＮＢのように省略される）との間のＷＬＡＮ経由のセルラートラフィックのルーティング、及びそれにより３ＧＰＰ  ＲＡＮアンカーＷＬＡＮを確立するためのＷＬＡＮポイントツーポイント通信リンクの特徴を説明する。言い換えれば、本開示は、ｅＮＢとＵＥとの間のロングタームエボリューション（ＬＴＥ）ワイヤレスポイントツーポイント通信リンク又はＷＬＡＮのいずれかにわたって伝達されるセルラーデータの送信中に、ＵＥが使用するための別の可能性がある無線インタフェースとしてのＷＬＡＮ技術の設置のための技術を説明する。
【００１５】
前述のポイントツーポイント通信リンクのための例示的な設置モデルは、ｅＮＢのより大きなセルラーカバレッジセル内の少なくとも１つのＷＬＡＮ  ＡＰを含むｅＮＢを有する。そのような構成において、ＷＬＡＮ  ＡＰは、ｅＮＢによって従来の有線又はワイヤレス接続を使用して又はｅＮＢシステムの一体的なコンポーネントとしてネットワーク接続される。ｅＮＢとＵＥとの間のＷＬＡＮポイントツーポイント通信リンクを確立することを目的として、ＵＥは、（従来のＷＬＡＮネットワーク規格に従って）ＷＬＡＮ通信リンクを介してＷＬＡＮ  ＡＰにワイヤレスで接続される。ＷＬＡＮポイントツーポイント通信リンクが、本開示の後に続く段落に説明される技術に従って確立されるものと仮定すると、設置モデルは、ｅＮＢのものとは異なるＷＬＡＮスペクトルを用いる小さなＷＬＡＮセルを有する。小さなＷＬＡＮセルは、ＵＥに利用可能な総帯域幅を効果的に増加する補足的な帯域幅を提供する。
【００１６】
以下の説明は、以下でまとめられる４つのサブセクションによって体系化される。
【００１７】
第１のサブセクションは、ＵＥ（クライアントとも呼ばれる）とｅＮＢ（基地局とも称される）との間のＷＬＡＮポイントツーポイント通信リンクを含むエンドツーエンドセルラーネットワークの実施形態の概要を提供する。
【００１８】
第２のサブセクションは、ＵＥの媒体アクセス制御（ＭＡＣ）アドレス又は他の固有の識別子により識別される単一のリンク、又は各リンクがＵＥのデータ無線ベアラ（ＤＲＢ）に対応する幾つかのリンクのいずれかを有し得る、ＷＬＡＮポイントツーポイント通信リンクを識別するための更に詳細な技術を記述する。３ＧＰＰの用語において、ベアラは、トラフィックについての特定の規格の処理を確立する１組のネットワークパラメータを有するトラフィックのクラスを表す。そして、複数のＤＲＢは、無線インタフェース上でユーザプレーントラフィック（即ち、ユーザデータ）を搬送する。従って、第２のサブセクションは、例えばＵＥ及びｅＮＢのＭＡＣアドレス又は識別子により特定されるＵＥ毎及びＤＲＢ毎のＷＬＡＮポイントツーポイント通信リンクを有する実施形態を説明する。
【００１９】
第３のサブセクションは、ＬＴＥリンクを迂回し、それにより３ＧＰＰプロトコルスタックの異なる深度におけるセルラートラフィックのオフロードをすることを目的として、ＷＬＡＮにわたってセルラートラフィック送信及び受信するための、ＵＥ及びｅＮＢ通信回路により使用されるトンネリングレイヤ及びフォーマットを説明する。言い換えれば、第３のサブセクションは、様々なタイプのペイロードを識別し、ＷＬＡＮポイントツーポイント通信リンクにわたって以下の機能をサポートすべく、どのようにＵＥ及びｅＮＢがデータパケットをフォーマットし、それらを例えば、データリンクレイヤ（レイヤ２、ＩＥＥＥ８０２．１１フレーム）の後で、パケットヘッダを有するＷＬＴＰを使用して伝送するかに関する。即ち、機能とは、パケットが制御メッセージのためであるか又はデータメッセージのためであるかを識別、データメッセージである場合、どのＤＲＢにパケットが属するかを識別、サービス品質（ＱｏＳ）遅延又はパケット損失測定のような測定をサポート、及びＷＬＡＮとＬＴＥとの間のベアラ分割である。
【００２０】
第４のサブセクションは、ＵＥの例を説明し、他の例示的な実施形態を提供する。
【００２１】
複数の追加的な態様及び利点は、添付の図面を参照して進む、以下の実施形態の詳細な説明から明らかであろう。同一の参照番号は、異なる図面において同一又は類似の要素を識別するために使用されてよい。以下の説明において、説明の目的のため、限定のためでなく、特許請求される発明の様々な態様の深い理解を提供すべく、特定の構造、アーキテクチャ、インタフェース、技術等のような具体的な詳細が記載される。しかしながら、本開示からの恩恵を有する当業者には、特許請求される本発明の様々な態様は、これらの具体的な詳細から離れた他の例において実施されてよいことが明らかであろう。特定の例において、不必要な詳細により本発明の説明を曖昧にしないことを目的として、周知の複数のデバイス、回路、及び方法の説明は、省略される。また、余談ではあるが、当業者であれば、「／」の使用が簡略化の目的であることを認識するであろう。例えば、「Ａ／Ｂ」という語句は（Ａ）、（Ｂ）、又は（Ａ及びＢ）を意味し、これは「Ａ及び／又はＢ」という語句と同義である。そして、「Ａ、Ｂ、及びＣのうちの少なくとも１つ」という語句は、（Ａ）、（Ｂ）、（Ｃ）、（Ａ及びＢ）、（Ａ及びＣ）、（Ｂ及びＣ）、又は（Ａ、Ｂ、及びＣ）を意味する。
【００２２】
［ネットワークの概要］  図１は、ＬＴＥワイヤレスネットワークについての３ＧＰＰの標準化の今度の１３番目のリリースにおいて３ＧＰＰ  ＲＡＮワーキンググループにより標準化される可能性が高いネットワークアーキテクチャ１００を示す。ネットワークアーキテクチャ１００は、ＵＥ１１０、ｅＮＢ１２０、及び進化型パケットコア（ＥＰＣ）の以下の２つのゲートウェイエンティティ、即ち、サービングゲートウェイ（Ｓ−ＧＷ）１３０及びパケットデータネットワーク（ＰＤＮ）ゲートウェイ（ＰＤＮ  ＧＷ、又はＰ−ＧＷ）１４０を含むセルラー通信のためのエンドツーエンドネットワークを示す。当業者であれば、ＥＰＣは、簡単のために、図１には不図示の他の複数のネットワークエンティティ及びインタフェースを通常有することを認識するであろう。
【００２３】
図９を参照して後に続く段落において更に詳細に説明される例である、ＵＥ１１０は、無線インタフェースＵｕ１５０（セルラーリンクとも称される）を介して、ｅＮＢ１２０と通信する。無線インタフェースＵｕは、ロングタームエボリューション（ＬＴＥ）ワイヤレスネットワークについての３ＧＰＰ規格において規定される、ワイヤレス無線通信チャネルを備え得る。
【００２４】
Ｓ１インタフェース１６０を介してｅＮＢ１２０と通信するＳ−ＧＷ１３０は、ネットワークアーキテクチャ１００ワイヤレス無線側とＥＰＣ側との間の相互接続のポイントを提供する。Ｓ−ＧＷ１３０は、イントラＬＴＥモビリティ、即ち、複数のｅＮＢの間のハンドオーバ及びＬＴＥ及び他の３ＧＰＰアクセスとの間のハンドオーバの場合のアンカーポイントである。Ｓ−ＧＷ１３０は、Ｓ５／８インタフェース１７０を介して他のゲートウェイ、Ｐ−ＧＷ１４０に論理的に接続される。３ＧＰＰ規格は、Ｓ−ＧＷ１３０及びＰ−ＧＷ１４０を別々に特定するが、実際、これらのゲートウェイは、ネットワーク機器ベンダにより提供される共通のネットワークコンポーネントとして組み合わされてよい。
【００２５】
Ｐ−ＧＷ１４０は、ＥＰＣと外部インターネットプロトコル（ＩＰ）ネットワーク（不図示）との間の相互接続のポイントを提供する。外部ＩＰネットワークは、ＰＤＮとも呼ばれる。Ｐ−ＧＷ１４０は、ＩＰパケットを複数のＰＤＮへ及びＰＤＮからルーティングする。
【００２６】
前述のエンドツーエンドセルラーネットワークコンポーネントに加えて、図１はまた、ＵＥ１１０がＹｙインタフェース１９０を経由してＷＬＡＮ１８０を介してｅＮＢ１２０と通信することを示す。Ｙｙインタフェース１９０は、ＵＥ１１０とそれに関連付けられたセルラー基地局、ｅＮＢ１２０との間の動作ネットワーク接続及びプロトコルを表す。言い換えれば、Ｙｙインタフェース１９０は、ＷＬＡＮ１８０経由のＵＥ１１０のセルラートラフィックをルーティングするための、ＵＥ１１０とｅＮＢ１２０との間のＷＬＡＮポイントツーポイント通信リンクにより実現され得る論理的インタフェースである。このため、用語「Ｙｙインタフェース」及び「ＷＬＡＮポイントツーポイント通信リンク」は、ほとんどの部分に対して交換可能に使用される。
【００２７】
［ＷＬＡＮポイントツーポイント通信リンクの識別］
最初に、ＵＥ１１０及びｅＮＢ１２０は、ＷＬＡＮポイントツーポイント通信リンク１９０を識別するための複数のパラメータを交換すべくシグナリングを実行する。例えば、ｅＮＢ（基地局）１２０は、リンク１９０のための識別子を要求すべく、メッセージ、即ち、制御メッセージ、制御信号、無線リソース制御（ＲＲＣ）メッセージ、又は他のタイプのメッセージをＵＥ１１０に送信するであろう。このサブセクションは、複数のＷＬＡＮポイントツーポイント通信リンクを識別するための２つのアプローチを説明する。
【００２８】
第１のアプローチは、ＵＥ毎のベースでリンクを識別することを伴う。言い換えれば、各ＵＥは、そのＵＥ自体とｅＮＢとの間の１つのＷＬＡＮポイントツーポイント通信リンクをそれらの間のトラフィックを通信するために収容し得る。アーキテクチャ１００へのこのアプローチの適用をして、ＷＬＡＮポイントツーポイント通信リンク１９０は、ＵＥ１１０に対して使用される固有のＭＡＣアドレスと、ｅＮＢ１２０に対して使用されるＭＡＣアドレスとの組み合わせにより規定される。このアプローチは、各ＵＥが固有のＭＡＣアドレスを有し、それ故、ＵＥ１１０が自身の固有のＭＡＣアドレスにより識別可能であるという事実に依拠する。そして、ｅＮＢ１２０のｖ−ＭＡＣ識別子（ＭＡＣアドレス）と組み合わせて固有のＭＡＣアドレスは、それ故、ＵＥ毎のベースでＷＬＡＮポイントツーポイント通信リンク１９０を識別するよう使用されてよい。第１のＵＥ毎のアプローチに従うと、ＷＬＡＮ１８０へオフロードされるトラフィックは、１つのＷＬＡＮポイントツーポイント通信リンクにおいて届けられ、１つのｖ−ＭＡＣ識別子（ＭＡＣアドレス）が、ｅＮＢ１２０に対して使用される。
【００２９】
第２のアプローチは、ＤＲＢ毎のベースでのリンクの識別を伴い、この場合ＵＥは、ＵＥが用いるＤＲＢの数に基づいて複数のリンクを収容してよい。例えば、ＵＥ１１０が２つのＤＲＢを有する場合、それは、ｅＮＢ１２０との２つのＷＬＡＮポイントツーポイント通信リンク１９０もまた有してよい。３ＧＰＰ規格は、現在、ＵＥに対し８つのＤＲＢの最大数を特定しており、この場合、ＵＥ１１０は、最大８つのＷＬＡＮポイントツーポイント通信リンク１９０を収容し得る。しかし、この第２のアプローチにおいて、ｅＮＢ１２０の単一のＭＡＣアドレスは、全ての８つのリンクを容易に識別出来ない。よって、第２の実施形態に従うと、図１におけるＷＬＡＮポイントツーポイント通信リンク１９０の図示は、各接続を区別すべく異なるｖ−ＭＡＣ識別子を使用することによりＤＲＢ毎に確立される複数のリンクを実際に表す。第２の、ＤＲＢ毎のリンクアプローチにおいて、ＵＥは、別個のＷＬＡＮポイントツーポイント通信リンクにおいて届けられたＵＥの異なるＤＲＢからのＵＥのトラフィックを有し、ＵＥの複数のＤＲＢからのトラフィックを識別すべく、最大の８つのＭＡＣ識別子（ＭＡＣアドレス）がｅＮＢ１２０で使用される。
【００３０】
２つのアプローチの両方では、パケットの送信元であるＤＲＢを識別することを目的として、各パケットにおける追加的なパケットヘッダ情報の使用もまた検討される。ＤＲＢを識別する追加的な情報は、ＱｏＳのようなそれぞれのＤＲＢパラメータを満たすべく、ｅＮＢ１２０により使用されてよい。言い換えれば、ＷＬＡＮポイントツーポイント通信リンク１９０上の複数のＤＲＢを識別するためのメカニズムは、ｅＮＢ１２０及びＵＥ１１０がＷＬＡＮ１８０のトラフィックを対応するＵＥ毎又はＤＲＢ毎のＰＤＣＰ／ＲＬＣのコンテクストにマッピングすることを可能とする。例えば、幾つかの実施形態において、ＷＬＴＰパケットヘッダ（図６）におけるＤＲＢ識別子は、ＷＬＡＮポイントツーポイント通信リンク１９０上の複数のＤＲＢを識別するよう使用されてよい。他の複数の実施形態において、進化型パケットシステム（ＥＰＳ）ベアラ識別子、論理チャネル識別子（ＬＣＩＤ）、又は任意の他の識別子が使用されてよい。
【００３１】
両方のアプローチにおいて、ｅＮＢ１２０は、ｅＮＢ１２０のｖ−ＭＡＣ識別子（ＭＡＣアドレス）についてのＵＥ１１０に情報を提供すべく、少なくとも１つのＲＲＣメッセージ（又は同様のメッセージ）を送信してもよい。しかし、当業者は、幾つかの他の実施形態において、例えば、ｅＮＢからＡＰへと転送されるランダムに生成された識別子、国際モバイル加入者識別（ＩＭＳＩ）、又は他の複数のネットワークエンティティのような他の複数の識別子が使用されてよいこともまた認識するであろう。更に、コンピュータネットワーキングの７レイヤオープンシステム相互接続（ＯＳＩ）モデルにおけるデータリンクレイヤ（レイヤ２）に対して、ＷＬＡＮリンクにわたるレイヤ２のトンネリングの識別は、ＵＥ及びｅＮＢ／ＡＰ  ＭＡＣ識別子の使用、又はＴＲ  ２３．８５２における検討中の、例えば、仮想ＭＡＣ及び仮想ローカルエリアネットワーク識別子のような複数の識別子の再使用を含む。
【００３２】
幾つかの実施形態において、ＷＬＴＰ動作は、拡張されたＲＲＣを使用して構成されてよい。これは、ｅＮＢ１２０又はＵＥ１１０により開始されてよい。両方の場合において、ｅＮＢ１２０とＵＥ１１０との間で交換される複数のメッセージは、ＷＬＴＰトンネリングの確立を許容する。即ち、複数のメッセージはＵＥ識別子及びベアラ識別子を含む。そのようなメッセージ交換の例は、以下のように説明される。
【００３３】
ＷＬＴＰを構成すべく、ｅＮＢ１２０は、セルラーリンク１５０経由でＵＥ１１０へＲＲＣメッセージを送信し、メッセージは、ユーザプレーンＷＬＴＰに対してｅＮＢ１２０のＭＡＣアドレス（又は複数のＭＡＣアドレス）を提供する。複数のＭＡＣアドレスは、ＷＬＡＮポイントツーポイント通信リンク１９０がＤＲＢ毎の場合に提供されてよい。制御プレーンＷＬＴＰに対して、メッセージはまた、ｅＮＢ１２０のＭＡＣアドレス又はユーザデータグラムプロトコル（ＵＤＰ）サーバポート及びＩＰアドレスを有してよい。制御プレーンＷＬＴＰが、ユーザプレーンＷＬＴＰと同一のＷＬＡＮポイントツーポイント通信リンク１９０を使用する場合、制御プレーンリンク識別情報は、オプション的であることに留意されたい。
【００３４】
メッセージに応答して、ＵＥ１１０は、ＲＲＣメッセージにおいて以下の情報を送信する。即ち、リンクのＵＥ１１０側でユーザプレーン及び制御プレーンの両方に対してＷＬＴＰを終了すべく使用され得る、ＵＥ１１０のＭＡＣアドレスである。
【００３５】
［リンクプロトコルの定義］
このサブセクションの以下の段落は、ユーザプレーントンネリングプロトコルスタックについての実施形態を説明する。これは、トラフィックがＬＴＥトラフィックから分割され、代わりにＷＬＡＮ１８０にわたってルーティングされる、プロトコルスタック深度に各々基づく３つの変更形態を含む。従って、図２、図３及び図４は、ユーザプレーントンネリングについてのそれぞれ第１、第２、及び第３の実施形態を示す。また、２つの制御プレーントンネリングの実施形態は図５及び図６において示される。
【００３６】
余談ではあるが、幾つかの図面は、目下の説明に直接的に関係しないが、その他の点で完全性のためには含まれる、様々なプロトコルレイヤを示すことに留意されたい。例えば、これらの複数の他のプロトコルレイヤは、汎用パケット無線サービス（ＧＰＲＳ）トンネリングプロトコル（ＧＴＰ）、ＵＤＰ、及び幾つかの物理レイヤ１及びデータリンクレイヤ２（Ｌ１／Ｌ２）プロトコルを含む。
【００３７】
図２−図４の実施形態は、それらの複数の類似点及び相違点の簡単な比較により理解されることが可能である。例えば、図２及び図３は類似であり、これは、図２及び図３の両方がプロトコルスタックにおけるＷＬＴＰの使用を含むからである。その一方で、図４の実施形態は、ＷＬＴＰを欠く。
【００３８】
一般的に図２及び図３に関して言うと、ＷＬＴＰは、幾つかの異なる方法で定義され得るＷＬＴＰトランスポートレイヤを含む。例えば、ＷＬＴＰトランスポートレイヤは、イーサネット（登録商標）フレームとして定義され得、又はＵＤＰ／ＩＰフレームとして定義され得る。ＷＬＴＰペイロードが規定される限り、これらの従来のトランスポートレイヤのいずれのタイプもＷＬＴＰトランスポートレイヤとして機能し得る。例えば、ＵＤＰ／ＩＰの場合、専用ポート番号は、ＷＬＴＰペイロードを含むものとしてＵＤＰ／ＩＰパケットを識別するよう機能し得る。
【００３９】
ＷＬＴＰトランスポートレイヤに加えて、送信の準備としてのＩＰパケットセットアップを提供するＷＬＴＰカプセル化レイヤもまた存在する。ＱｏＳ測定及びベアラ分割を含む、以前に注意された機能をサポートするためのペイロード情報を識別するＷＬＴＰカプセル化レイヤにおいてヘッダ値により規定される制御メッセージの説明に関連して、例示のＷＬＴＰカプセル化レイヤフォーマットは、後に続く段落において定義される。しかしながら、カプセル化は、ＷＬＴＰ機能をサポートするための情報（ＷＬＴＰにより使用されるＱｏＳ、シーケンス番号、及び他の情報）を規定するパケットヘッダであると考えられてよいことをここで言えば十分である。述べられるように、ＷＬＴＰカプセル化を使用することの恩恵は、受信機がパケット損失レート及び遅延バリエーションのようなＱｏＳを測定することを許容することである。
【００４０】
図２は、トラフィック分割のために使用される（図２において網掛けで示される）複数のＷＬＴＰトンネリングレイヤ２３０として集合的に呼ばれる、ＷＬＴＰトランスポートレイヤ２１０及びＷＬＴＰカプセル化レイヤ２２０を示すプロトコルスタック２００のブロック図である。図２は、複数のＷＬＴＰトンネリングレイヤ２３０がＩＰレイヤ２４０の直下にあり、その結果、ＩＰパケットが、ＷＬＡＮポイントツーポイント通信リンク１９０経由で送信されるＷＬＴＰパケット内にネストされることを示す。具体的には、ＩＰトラフィックは、複数のＷＬＴＰトンネリングレイヤ２３０にわたって、ＩＰバージョン４（ＩＰｖ４）パケット又はＩＰバージョン６（ＩＰｖ６）パケットの形式を有する複数のＷＬＴＰペイロードとして送信される。同様に、ＷＬＴＰトンネリングレイヤ２３０と並列に、ユニバーサルモバイルテレコミュニケーションシステム（ＵＭＴＳ）における無線トラフィックスタックのＰＤＣＰレイヤ２５０は、Ｕｕ  ＬＴＥセルラーリンク１５０上で搬送されるＩＰパケットをカプセル化する。
【００４１】
以前に検討されたように、複数のベアラは、別々にルーティングされてよく、この場合、複数のベアラは、利用可能な無線アクセス技術（即ち、ＬＴＥ又はＷＬＡＮ）の１つの中で個別にルーティングされる。他の複数の実施形態において、単一のベアラは、ＬＴＥとＷＬＡＮとの間で分割されてよい。スタック２００において、ｅＮＢ１２０がダウンリンクデータパケットのＩＰパケットヘッダフィールドを調査可能である場合、ＵＥ１１０のＤＲＢは、ＩＰフローの粒度によって分割されてよい。ＩＰフローは、送信制御プロトコル／インターネットプロトコル（ＴＣＰ／ＩＰ）接続を有する、５つの異なる値（５組）の共通セットを共有する複数のＩＰパケットからなる。このセットは、使用中の送信元ＩＰアドレス、送信元ポート番号、宛先ＩＰアドレス、宛先ポート番号、及びプロトコルを含む。
【００４２】
ＷＬＴＰトンネリングレイヤ２３０の構成は、有利であり、なぜなら、この構成は、３ＧＰＰモデム内に埋め込まれた３ＧＰＰプロトコルスタック（即ち、ＰＤＣＰレイヤ２５０情報）に明示的にアクセスすることなく、ＷＬＡＮトンネリングの独立した動作を許容するからである。しかしながら、トレードオフとして、３ＧＰＰセキュリティ及び暗号化機能がＷＬＴＰトンネリングレイヤ２３０に対して使用されることが出来ないことと、３ＧＰＰプロトコルスタックにより提供される特定の機能性が、これらのレイヤについて重複され得ることがある。
【００４３】
図３は、ＩＰレイヤ３４０より下、及びセルラープロトコルスタックのＰＤＣＰ又はＲＬＣ（ＰＤＣＰ／ＲＬＣ）レイヤ３５０の直下のトラフィック分割のために使用される、集合的にＷＬＴＰトンネリングレイヤ３３０である、ＷＬＴＰトランスポートレイヤ３１０及びＷＬＴＰカプセル化レイヤ３２０を示すプロトコルスタック３００のブロック図である。図３のＲＬＣ＊上のアスタリスクは、ＷＬＴＰトンネリングレイヤ３３０がＰＤＣＰ／ＲＬＣレイヤ３５０中のＲＬＣ＊より下に、又はセルラーＲＬＣ／ＭＡＣ／物理（ＰＨＹ）レイヤ３６０中のＲＬＣ＊より上にあってよいことを意味する。言い換えれば、ＷＬＴＰは、ＰＤＣＰ又は無線リンクコントロール（ＲＬＣ）レイヤのいずれかより下で実行されてよい。
【００４４】
トラフィック分割は、ＰＤＣＰ又はＲＬＣより下で起こるので、ＷＬＴＰペイロードタイプは、ＰＤＣＰ／ＲＬＣパケットにするであろう。また、ＩＰパケットヘッダは、スタック３００における分割機能に対して可視化されていないので、ＵＥ１１０のＤＲＢは、（負荷均衡及び帯域幅のアグリゲーションの目的のために）ＩＰフローの粒度によって分割されるよう利用可能ではなく、代わりにＩＰ／ＰＤＣＰパケットの粒度によって分割されるよう利用可能である。さらに、同一のＩＰフローの分割パケットは、ＷＬＡＮポイントツーポイント通信リンク１９０及びセルラーリンク１５０の両方を介して送信されてよく、その結果、送信されるパケットは受信機に順序がバラバラで到達する。即ち、個々のベアラは、単一の無線アクセス技術（ＬＴＥ若しくはＷＬＡＮ）経由で転送されるであろう、又は、ベアラはＬＴＥとＷＬＡＮとの間で分割され得るかのいずれかである。結果として、複数のパケットの並べ替えは、受信機で実行されてよく、ＰＤＣＰ又はより上のレイヤの機能（例えばコネクションマネージャ）における態様としてサポートされてよい。
【００４５】
他の複数の集積プロトコルは、ＭＡＣレイヤにおいて、即ち、ＲＬＣレイヤ３６０より下でトラフィックをオフロードするように使用され得ることにもまた留意されたい。そのような場合においては、３ＧＰＰ  ＭＡＣレイヤは、「論理チャネル識別子」レイヤで動作し、ｅＮＢ１２０及びＵＥ１１０は、各ＵＥに対して（ＵＥ毎に）複数のＤＲＢ識別子と論理チャネル識別子との間のマッピングをストアし、その結果、トラフィックは、無線リンクコントロール（ＲＬＣ）レイヤ３６０から及びそこへルーティングされ得る。ＭＡＣレイヤでのトラフィックのオフロードのために、ＷＬＴＰパケットヘッダが論理チャネル識別子を直接的に含んでよい。しかしながら、一貫性のために、幾つかの実施形態は、以前のサブセクションに説明された、前述のＤＲＢ識別子を使用することを継続し得る。従って、複数のＤＲＢフローを、対応する論理チャネルリソースにマッピングすべく３ＧＰＰプロトコルスタックに依拠する。
【００４６】
図４は、ＷＬＴＰを欠く別の実施形態を示す、プロトコルスタック４００のブロック図である。従って、ＵＥ１１０又はｅＮＢ１２０は、ＷＬＴＰカプセル化なしでレイヤ２フレーム４１０において直接的にユーザの複数のＩＰパケットを送信してよい。それゆえ、追加的なカプセル化は存在せず、セルラーＩＰパケットは、ＷＬＡＮポイントツーポイント通信リンク１９０を経由してＷＬＡＮ１８０にわたって直接的に送信される。対照的に、カプセル化が存在しない従来のレイヤ２フレームはＰＤＣＰパケットを直接的に搬送出来ないので、ＷＬＴＰカプセル化は、スタック３００で使用されてよい。また、ＷＬＴＰは、ＵＥ毎及びＤＲＢ毎のアプローチの両方に対するサポートを容易にし、一方で、スタック４００は、ＵＥ毎のアプローチに対するサポートを典型的には容易にしないであろう。それでもなお、幾つかの他の実施形態において、新たな（又は、既存の）イーサタイプが、ＷＬＡＮ１８０にわたってＰＤＣＰ  ＰＤＵを搬送すべく使用（又は再使用）されてよい。
【００４７】
ＷＬＡＮポイントツーポイント通信リンクを共有するＵＥ及びｅＮＢのための制御プレーンメッセージをサポートすることに関して、以下のように２つのアプローチが存在する。即ち、ＬＴＥリンクにわたって制御メッセージを搬送する拡張されたＲＲＣ、又はＷＬＡＮポイントツーポイント通信リンク１９０にわたって提供されるＷＬＴＰ制御である。本開示は、図５に示されるような、ＷＬＴＰ制御プレーンプロトコルを記述することを含む、第２のＷＬＴＰ制御アプローチの更に詳細を記述する。
【００４８】
図５は、ＷＬＴＰトランスポートベースの実施形態に従う、ＷＬＴＰ制御プレーンメッセージの交換を示す。例えば、図５は、ＵＤＰベース又はイーサネット（登録商標）ベースのトランスポートメカニズムを含み得るＷＬＴＰトランスポートレイヤ５１０、及びＷＬＴＰカプセル化レイヤ５２０を示すプロトコルスタック５００のブロック図である。
【００４９】
ＷＬＴＰ制御メッセージは、ＷＬＴＰ制御メッセージのタイプを識別するためのペイロードタイプを含む。例えば、ＵＥ１１０がセルラーにわたってＵＥ１１０のトラフィックを送信することからＷＬＡＮ１８０にわたってそのトラフィックを送信することに切り替える前に、ＵＥ１１０は、ＷＬＡＮポイントツーポイント通信リンク１９０がなお接続されているかどうかを判断すべく、ｅＮＢ１２０へＷＬＴＰ制御メッセージを送信してよく、それに応じて、ｅＮＢ１２０が、ＷＬＡＮポイントツーポイント通信リンク１９０のステータスを示す制御メッセージで返信を返してよい。別の例において、ＵＥ１１０がＷＬＡＮポイントツーポイント通信リンク１９０のＱｏＳを評価するために使用し得るダミープローブをｅＮＢ１２０が送信し、それから、ｅＮＢ１２０がＷＬＴＰ制御メッセージの形式でダミープローブをＵＥ１１０へ送信することをＵＥ１１０は要求してよい。様々な制御メッセージの追加的な詳細は、当業者により理解されるであろう。
【００５０】
図６は、ＷＬＡＮパケットフォーマットの２つの例を示す。
【００５１】
第１のＷＬＡＮパケット６００は、ＩＥＥＥ８０２．１１ＭＡＣ／ＰＨＹパケットヘッダ６１０及びＩＥＥＥ８０２．２規格の論理リンク制御（ＬＬＣ）／サブネットアクセスプロトコル（ＳＮＡＰ）パケットヘッダ６２０を有し、これらは、ＷＬＡＮパケットヘッダを含む。ＷＬＡＮペイロードは、ＷＬＴＰパケットヘッダ６３０及びＷＬＴＰペイロード６４０を含むＷＬＴＰパケットを有する。本実施形態において、ＷＬＴＰトランスポートは、８０２．２ＬＬＣ／ＳＮＡＰパケットヘッダ６２０におけるイーサタイプフィールドの予め規定された値により識別される、新たなタイプのイーサネット（登録商標）フレームに基づく。従って、ＷＬＴＰペイロード６４０は、ＷＬＡＮポイントツーポイント通信リンク１９０経由でＵＥ１１０とｅＮＢ１２０との間で交換され得る、ＩＰパケット、ＰＤＣＰパケット、３ＧＰＰ  ＬＴＥ  ＲＲＣパケット、又は任意の制御メッセージであってよい。
【００５２】
第２のＷＬＡＮパケット６６０は、ＷＬＡＮパケット６００のパケットヘッダと同様のＷＬＡＮパケットヘッダを有するが、ＷＬＡＮペイロードは、ＩＰパケットヘッダ６７０、ＵＤＰパケットヘッダ６８０、並びに、ＷＬＴＰパケットヘッダ６３０及びＷＬＴＰペイロード６４０を含むＷＬＴＰパケットを有する。本実施形態において、ＷＬＴＰトランスポートは、ＵＤＰパケットヘッダ６８０において識別されるＵＤＰポート番号の予め規定された値により識別されるＵＤＰ接続に基づく。しかしながら、上記の実施形態の両方において、ＷＬＴＰパケットフォーマットは、ＷＬＴＰトランスポートがＵＤＰであるか、又はイーサネット（登録商標）フレームの新たなタイプであるかに関わらず同一である。
【００５３】
ＷＬＴＰパケットヘッダ６３０は、以下のフィールドから構成され得る。即ち、符号なしの整数Ｔ、トンネリングパケットのシーケンス番号ＳＮ、遅延測定に対するＤ、及び符号なしの整数であるＤＲＢ識別子（ＩＤ）である。これらは、以下の４段落において説明される。
【００５４】
"Ｔ"は、ＷＬＴＰペイロードタイプ、例えば、ＩＰｖ４、ＩＰｖ６、ＰＤＣＰ  ＰＤＵ、ＭＡＣ  ＰＤＵ、又はＷＬＴＰ制御メッセージを示す。
【００５５】
"ＳＮ"は、３ＧＰＰとＷＬＡＮとの間でトラフィックを後方及び前方に切り替える場合、パケット損失を測定し、分割機能を実行し、パケットを再順序付けするためのものである。このフィールドは、ＰＤＣＰパケットヘッダもまたＳＮを有するので、スタック４００を使用する場合（図４）、除外されてよい。
【００５６】
"Ｄ"は、ミリ秒（ｍｓ）の単位での送信時間間隔のジッタ測定又は遅延の受信についてのものである。それが基本的には提供する手段により、いつパケットが送信機（ｅＮＢ１２０又はＵＥ１１０クライアントのいずれか）から送信されているか、及び前述のパケットと以前に送信されたパケットとの間の間隔を測定する。
【００５７】
"ＤＲＢ  ＩＤ"は、パケットのＤＲＢを識別するためのものである。それは、ＷＬＡＮポイントツーポイント通信リンク１９０自体は、実際に（ＤＲＢ毎に）複数のリンクである場合、無視され得るが、それ以外の、リンク１９０がＵＥ毎のベースにある状況について有用である。そのアプローチにおいて、ＵＥの異なるベアラの全てが同一のリンク１９０にわたって送信され、その結果、ＤＲＢ  ＩＤは、各パケットがどのベアラに属するかを識別する。
【００５８】
図７は、図２のスタック２００の複数の拡張を示す。トラフィックが、ＩＰレイヤ２４０の直下で分割されるので、ＰＤＣＰレイヤ２５０に存在する情報は、セルラーリンク１５０にわたって通常は送信され、従ってＷＬＡＮポイントツーポイント通信リンク１９０においては提供されない。例えば、ＷＬＡＮポイントツーポイント通信リンク１９０にわたって送信されるパケットは、共通シーケンス番号のようなＰＤＣＰセルラー情報を通常は欠く。従って、スタック２００において、ＷＬＡＮポイントツーポイント通信リンク１９０及びセルラーリンク１５０の共同測定を実行すること、又は、そのことについては、（再び、スタック２００のＷＬＡＮポイントツーポイント通信リンク１９０は、共通制御情報を通常は搬送しないので）並べ替え又は分割を実行することは、課題となるであろう。
【００５９】
共通制御情報を提供するために、及びベアラ分割及び並べ替えをサポートするためにスタック２００を拡張すべく、図７は、以下の拡張を示す。即ち、ＷＬＡＮ及びセルラースタックの両方の上部のＷＬＴＰカプセル化レイヤである。具体的には、図７は、トラフィック分割のために用いられるＷＬＴＰトンネリングレイヤ７３０として集合的に称される、ＷＬＴＰトランスポートレイヤ７１０及びＷＬＴＰカプセル化レイヤ７２０を示すプロトコルスタック７００のブロック図である。スタック２００（図２）の場合のように、ＷＬＴＰトンネリングレイヤ７３０がインターネットプロトコル（ＩＰ）レイヤ７４０の直下にあり、その結果、ＩＰパケットが、ＷＬＡＮポイントツーポイント通信リンク１９０経由で送信されるＷＬＴＰパケット内にネストされることを図７は示す。しかし、スタック２００においてとは異なり、拡張されたＰＤＣＰレイヤ７５０は、ＷＬＴＰカプセル化レイヤ７２０より下にある。従って、スタック７００において、ＷＬＴＰカプセル化レイヤ７２０は、ベアラ分割及び並べ替えの目的でＷＬＡＮポイントツーポイント通信リンク１９０及びセルラーリンク１５０の両方の上で実行する。
【００６０】
スタック７００は、ＷＬＡＮ及びセルラースタックの両方の上部にＷＬＴＰカプセル化レイヤ７２０を有する。しかしながら、図８のレガシーパケットフォーマット８００において示されるように、現在の複数のＬＴＥデバイスは、ＩＰパケット８２０をカプセル化する従来のＰＤＣＰパケットヘッダ８１０をサポートするよう設計されている。従って、これらのデバイスは、ＷＬＴＰカプセル化レイヤ７２０内にネストされたＩＰレイヤ７４０を支持するＰＤＣＰレイヤ７５０を必ずしも認識しないであろう。
【００６１】
従って、図８はまた、ＰＤＣＰレイヤ７５０がＷＬＴＰトンネリングレイヤ７３０を支持することを可能とする拡張されたＰＤＣＰパケットフォーマット８５０を示す。その結果、複数のＬＴＥデバイスは、ＷＬＴＰカプセル化レイヤ７２０内にネストされたＩＰレイヤ７４０を受け入れるよう容易に構成され得る。ＰＤＣＰパケットフォーマット８５０は、ＰＤＣＰパケットヘッダ８６０に続いて、かつ、ＩＰパケットヘッダ８７０の前に（即ち、前部に）、ショートＷＬＴＰパケットヘッダ８８０を含む。図８はまた、従来のＰＤＣＰパケットヘッダ８１０において３つの予約された"Ｒ"ビットのうちの第１のものがＰＤＣＰパケットフォーマット８５０のＰＤＣＰパケットヘッダ８６０において"Ｍ"ビットとして使用されることを示す。 "Ｍ"ビットは、ＰＤＣＰパケットヘッダ８６０がＷＬＴＰパケット、即ち、拡張されたＰＤＣＰペイロードをカプセル化するか否かを示すよう使用される。ここで、拡張されたＰＤＣＰペイロードは、ショートＷＬＴＰパケットヘッダ８８０並びにショートＷＬＴＰパケットヘッダ８８０フィールドにより識別されたＩＰパケット８２０（ＩＰパケットヘッダ８７０及びＩＰデータペイロード８９０）の形式におけるＷＬＴＰペイロードを含む。ＰＤＣＰパケットヘッダ８６０はまた、ＰＤＣＰペイロードがデータについて、又は制御についてのものであるか否かを示すＤ／Ｃビット、及び、ＰＤＣＰ  ＳＮの第１の４ビット及び追加的な８ビットを含む。
【００６２】
パケットがセルラーリンク１５０にわたって送信される場合、ショートＷＬＴＰパケットヘッダ８８０の複数のフィールドは、オプション的に低減されてよい。例えば、セルラーリンク１５０にわたって送信される場合、ショートＷＬＴＰパケットヘッダ８８０は、"ＳＮ"及び"Ｔ"情報をオプション的に包含してよいが、"Ｄ"又は"ＤＲＢ  ＩＤ"情報を除外してよい。
【００６３】
ＰＤＣＰは、ＰＤＣＰペイロードにおいてＩＰパケットを正確に配置すべく、ショートＷＬＴＰパケットヘッダ８８０フィールドの長さを特定するのみであり、その結果、それは、ヘッダ圧縮を実行することが出来ることに留意されたい。ショートＷＬＴＰパケットヘッダ８８０のフォーマットは、ＷＬＴＰにより決定されるであろう。
【００６４】
［実施例］
本明細書に説明される複数の実施形態は、任意の適切に構成されたハードウェア及び／又はソフトウェアを使用してシステムへと実装されてよい。図９は、一実施形態について、少なくとも示されるように互いに結合された、無線周波数（ＲＦ）回路、ベースバンド回路、アプリケーション回路、メモリ／ストレージ、ディスプレイ、カメラ、センサ及び入出力（Ｉ／Ｏ）インタフェースを備える例示のシステムを示す。
【００６５】
アプリケーション回路は、限定されないが、１又は複数のシングルコアプロセッサ又はマルチコアプロセッサのような回路を有してよい。プロセッサは、汎用プロセッサ及び専用プロセッサ（例えば、複数のグラフィックスプロセッサ、アプリケーションプロセッサ等）の任意の組み合わせを有してよい。システム上で実行する様々なアプリケーション及び／又はオペレーティングシステムを有効にすべく、プロセッサは、メモリ／ストレージと結合されてよく、メモリ／ストレージにストアされた命令を実行するよう構成されてよい。
【００６６】
ベースバンド回路は、限定されないが、１又は複数のシングルコアプロセッサ又はマルチコアプロセッサのような回路を有してよい。プロセッサは、ベースバンドプロセッサを有してよい。ベースバンド回路は、ＲＦ回路を経由した１又は複数の無線ネットワークとの通信を可能とする様々な無線制御機能を処理してよい。無線制御機能は、限定されないが、信号変調、エンコード、デコード、無線周波数シフトをすること等を含んでよい。幾つかの実施形態において、ベースバンド回路は、１又は複数の無線技術と互換性のある通信を提供し得る。例えば、幾つかの実施形態において、ベースバンド回路は、進化型ユニバーサル地上波無線アクセスネットワーク（ＥＵＴＲＡＮ）及び／又は他のワイヤレスメトロポリタンエリアネットワーク（ＷＭＡＮ）、ＷＬＡＮ、若しくはワイヤレスパーソナルエリアネットワーク（ＷＰＡＮ）による通信をサポートしてよい。ベースバンド回路が１より多いワイヤレスプロトコルの無線通信をサポートするよう構成された複数の実施形態は、マルチモードベースバンド回路と呼ばれ得る。
【００６７】
様々な実施形態において、ベースバンド回路は、厳密にはベースバンド周波数にあるものとしてみなされない複数の信号によって動作する回路を有してよい。例えば、幾つかの実施形態において、ベースバンド回路は、ベースバンド周波数と無線周波数との間の周波数である、中間周波数を有する信号によって動作する回路を有してよい。
【００６８】
ＲＦ回路は、非固体媒質を介して変調された電磁放射を使用して、ワイヤレスネットワークと通信することを可能にし得る。様々な実施形態において、ＲＦ回路は、ワイヤレスネットワークとの通信を容易にすべく、スイッチ、フィルタ、増幅器等を有してよい。
【００６９】
様々な実施形態において、ＲＦ回路は、厳密には無線周波数にあるものとしてみなされない複数の信号によって動作する回路を有してよい。例えば、幾つかの実施形態において、ＲＦ回路は、ベースバンド周波数と無線周波数との間の周波数である、中間周波数を有する信号によって動作する回路を有してよい。
【００７０】
幾つかの実施形態において、ベースバンド回路、アプリケーション回路、及び／又はメモリ／ストレージの構成コンポーネントの幾つか又は全ては、システム・オン・ア・チップ（ＳＯＣ）上に共に実装されてよい。
【００７１】
メモリ／ストレージは、データ、及び／又は、例えばオペレーティングシステムについての命令をロード及びストアすべく使用されてよい。一実施形態に対するメモリ／ストレージは、適切な揮発性メモリ（例えば、ダイナミックランダムアクセスメモリ（ＤＲＡＭ））及び／又は不揮発性メモリ（例えば、フラッシュメモリ）の任意の組み合わせを有してよい。
【００７２】
様々な実施形態において、Ｉ／Ｏインタフェースは、ユーザがシステムと相互作用することを可能とするよう設計された１又は複数のユーザインタフェース及び／又はペリフェラルコンポーネントのシステムとの相互作用を可能とするよう設計されたペリフェラルコンポーネントインタフェースとを有してよい。ユーザインタフェースは、限定されないが、物理キーボード又はキーパッド、タッチパッド、スピーカ、マイク等を含んでよい。ペリフェラルコンポーネントインタフェースは、限定されないが、不揮発性メモリポート、ユニバーサルシリアルバス（ＵＳＢ）ポート、オーディオジャッキ及び電力供給インタフェースを含んでよい。
【００７３】
様々な実施形態において、複数のセンサは、システムに関連した環境条件及び／又は位置情報を判断すべく、１又は複数の検知デバイスを含んでよい。幾つかの実施形態において、センサは、限定されないが、ジャイロセンサ、加速度計、近接センサ、周辺光センサ及び測位ユニットを含んでよい。測位ユニットはまた、測位ネットワーク、例えば全地球測位システム（ＧＰＳ）衛星のコンポーネントと通信すべく、ベースバンド回路及び／又はＲＦ回路の一部であってよく、又はそれらと相互作用してよい。
【００７４】
様々な実施形態において、ディスプレイは、液晶ディスプレイ、又はタッチスクリーンディスプレイのようなディスプレイ等を含んでよい。
【００７５】
様々な実施形態において、システムは、限定されないが、ラップトップコンピューティングデバイス、タブレットコンピューティングデバイス、ネットブック、ウルトラブック（登録商標）又はスマートフォンのようなモバイルコンピューティングデバイスであってよい。様々な実施形態において、システムは、より多くの又はより少ないコンポーネント及び／又は異なるアーキテクチャを有してよい。
【００７６】
以下は追加的な実施例である。
【００７７】
［例１］
セルラーデータ及びコントロールトラフィックを通信するためのユーザ機器（ＵＥ）であって、ロングタームエボリューション（ＬＴＥ）ワイヤレスネットワークの無線インタフェースを介してセルラーコントロールトラフィックを進化型ユニバーサル地上波無線アクセスネットワークノードＢ（ｅＮＢ）と通信し、ワイヤレスローカルエリアネットワーク（ＷＬＡＮ）において、ＷＬＡＮポイントツーポイント通信リンクを介したｅＮＢを有するセルラーデータトラフィックの通信のためにｅＮＢを有するＷＬＡＮポイントツーポイント通信リンクを確立し、セルラーデータトラフィックをＷＬＡＮポイントツーポイント通信リンクを介してｅＮＢへ通信するよう構成された回路を備えるＵＥ。
【００７８】
［例２］
ＷＬＡＮポイントツーポイント通信リンクは一組のＷＬＡＮポイントツーポイント通信リンクを備え、一組のＷＬＡＮポイントツーポイント通信リンクの各メンバは、ｅＮＢからの制御メッセージにおいて受信されるデータ無線ベアラ（ＤＲＢ）識別子により識別される、例１に記載のＵＥ。
【００７９】
［例３］
ＷＬＡＮのネットワークプロトコルスタックにおいて存在するインターネットプロトコル（ＩＰ）レイヤの複数のＩＰパケットをカプセル化するためのレイヤ１及びレイヤ２のパケットフォーマットに従ってセルラーデータトラフィックを回路は通信するよう更に構成される、例１又は２のいずれかに記載のＵＥ。
【００８０】
［例４］
ＷＬＡＮのネットワークプロトコルスタックにおいて存在するインターネットプロトコル（ＩＰ）レイヤの複数のＩＰパケットをカプセル化するためのＷＬＡＮトンネリングプロトコル（ＷＬＴＰ）パケットフォーマットに従ってセルラーデータトラフィックを回路は通信するよう更に構成される、例１又は２のいずれかに記載のＵＥ。
【００８１】
［例５］
ＷＬＡＮのネットワークプロトコルスタックにおいて存在するパケットデータコンバージェンスプロトコル（ＰＤＣＰ）レイヤの複数のＰＤＣＰパケットをカプセル化するためのＷＬＡＮトンネリングプロトコル（ＷＬＴＰ）パケットフォーマットに従ってセルラーデータトラフィックを回路は通信するよう更に構成される、例１又は２のいずれかに記載のＵＥ。
【００８２】
［例６］
ＷＬＡＮのネットワークプロトコルスタックにおいて存在する無線リンクコントロール（ＲＬＣ）レイヤの複数のＲＬＣパケットをカプセル化するためのＷＬＡＮトンネリングプロトコル（ＷＬＴＰ）パケットフォーマットに従ってセルラーデータトラフィックを回路は通信するよう更に構成される、例１又は２のいずれかに記載のＵＥ。
【００８３】
［例７］
インターネットプロトコル（ＩＰ）レイヤより下又はパケットデータコンバージェンスプロトコル（ＰＤＣＰ）レイヤより下に規定されたＷＬＡＮトンネリングプロトコル（ＷＬＴＰ）トンネリングレイヤにおいてセルラーデータトラフィックを回路は通信するよう更に構成され、ＷＬＴＰトンネリングレイヤは、ＷＬＴＰカプセル化レイヤによりカプセル化されたＷＬＴＰトランスポートレイヤを含む、例１又は２及び４から６のいずれかに記載のＵＥ。
【００８４】
［例８］
セルラーネットワークにおけるワイヤレス通信のためのユーザ機器（ＵＥ）であって、ワイヤレスローカルエリアネットワーク（ＷＬＡＮ）接続を介して受信する無線周波数受信機と、進化型ユニバーサル地上波無線アクセスネットワークノードＢ（ｅＮＢ）によって、ユーザプレーン及び制御プレーンセルラーパケットと、ＷＬＡＮ接続にわたって受信されるユーザプレーン及び制御プレーンセルラーパケットにおけるＷＬＡＮトンネリングプロトコル（ＷＬＴＰ）パケットフォーマットを識別するベースバンドコントローラとを備え、ＷＬＴＰパケットフォーマットはＷＬＴＰパケットヘッダ及びＷＬＴＰペイロードを有する、ＵＥ。
【００８５】
［例９］
ＷＬＴＰパケットフォーマットは、ユーザデータグラムプロトコル（ＵＤＰ）／インターネットプロトコル（ＩＰ）フレームに含まれ、ＵＤＰ／ＩＰフレームは、ＵＤＰ／ＩＰフレームがＷＬＴＰペイロードを含むことを示す予め規定されたＵＤＰポート値を有する、例８に記載のＵＥ。
【００８６】
［例１０］
ＷＬＴＰパケットフォーマットは、米国電気電子技術者協会（ＩＥＥＥ）８０２．２規格フレームパケットヘッダにおいて含まれるイーサタイプフィールドの予め規定された値により識別されるイーサネット（登録商標）フレームに含まれる、例８に記載のＵＥ。
【００８７】
［例１１］
ＷＬＴＰペイロードは、ＷＬＡＮ接続を経由してＵＥとｅＮＢとの間に交換される、インターネットプロトコル（ＩＰ）パケット、パケットデータコンバージェンスプロトコル（ＰＤＣＰ）パケット、無線リソース制御（ＲＲＣ）パケット、又は制御メッセージの形式であり得る、例８から１０のいずれかに記載のＵＥ。
【００８８】
［例１２］
ＷＬＴＰパケットヘッダは、セルラーパケットのシーケンシャルな順序を確立すべくシーケンス番号を含む、例８から１１のいずれかに記載のＵＥ。
【００８９】
［例１３］
ＷＬＴＰパケットヘッダは、ＷＬＴＰペイロードをＷＬＡＮ接続のサービス品質（ＱｏＳ）を表す情報を含むものとして識別する例８から１２のいずれかに記載のＵＥ。
【００９０】
［例１４］
ＷＬＴＰパケットヘッダは、ＷＬＴＰペイロードをＷＬＴＰペイロードについてのデータ無線ベアラの識別子を含むものとして識別する、例８から１３のいずれかに記載のＵＥ。
【００９１】
［例１５］
クライアントと基地局とのＹｙインタフェースにより規定されるワイヤレスローカルエリアネットワーク（ＷＬＡＮ）ポイントツーポイント通信リンクを確立する方法であって、クライアントと基地局とのＵｕインタフェースを介して第１の制御メッセージを基地局から受信する段階と、ＷＬＡＮポイントツーポイント通信リンクを識別するための基地局から提供される第１の識別子を第１の制御メッセージから判断する段階と、基地局に第２の制御メッセージを送信し、ＷＬＡＮポイントツーポイント通信リンクを識別するためにクライアントにより提供される第２の識別子を提供する段階とを備え、第１の識別子及び第２の識別子は、クライアント及び基地局のＹｙインタフェースにより規定されるＷＬＡＮポイントツーポイント通信リンクを集合的に識別する、方法。
【００９２】
［例１６］
ユーザ機器（ＵＥ）毎のベースで、ＷＬＡＮポイントツーポイント通信リンクを確立するための第１の識別子として、基地局の媒体アクセス制御（ＭＡＣ）アドレスを受信する段階を更に備える、例１５に記載の方法。
【００９３】
［例１７］
ＷＬＡＮポイントツーポイント通信リンクは、クライアントの複数のデータ無線ベアラ（ＤＲＢ）に対応する複数のＷＬＡＮポイントツーポイントリンクを有する、例１５に記載の方法。
【００９４】
［例１８］
ＤＲＢに関連付けられた予め規定されたサービス品質（ＱｏＳ）パラメータの適用のために、対応するＤＲＢへのＷＬＡＮポイントツーポイント通信リンクを介して受信されるセルラートラフィックを基地局がマッピングすることを許容すべく、クライアントから通信されるパケットヘッダ情報におけるデータ無線ベアラ（ＤＲＢ）情報を通信する段階を更に備える例１５から１７のいずれかに記載の方法。
【００９５】
［例１９］
第１の制御メッセージは、ｅＮＢでサポートされた多数のデータ無線ベアラ（ＤＲＢ）を示す無線リソース制御（ＲＲＣ）メッセージを有する、例１５、１７、１８のいずれかに記載の方法。
【００９６】
［例２０］
Ｙｙインタフェースを介して第３の制御メッセージを送信する段階を更に備える、例１５から１９のいずれかに記載の方法。
【００９７】
［例２１］
セルラーデータ及びコントロールトラフィックを通信するためのユーザ機器（ＵＥ）により実行される方法であって、ロングタームエボリューション（ＬＴＥ）ワイヤレスネットワークの無線インタフェースを介してセルラーコントロールトラフィックを進化型ユニバーサル地上波無線アクセスネットワークノードＢ（ｅＮＢ）と通信する段階と、ワイヤレスローカルエリアネットワーク（ＷＬＡＮ）において、ＷＬＡＮポイントツーポイント通信リンクを介したｅＮＢを有するセルラーデータトラフィックの通信のためにｅＮＢを有するＷＬＡＮポイントツーポイント通信リンクを確立する段階と、セルラーデータトラフィックをＷＬＡＮポイントツーポイント通信リンクを介してｅＮＢへ通信する段階とを備える方法。
【００９８】
［例２２］
ＷＬＡＮポイントツーポイント通信リンクは一組のＷＬＡＮポイントツーポイント通信リンクを備え、一組のＷＬＡＮポイントツーポイント通信リンクの各メンバは、ｅＮＢからの制御メッセージにおいて受信されるデータ無線ベアラ（ＤＲＢ）識別子により識別される、例２１に記載の方法。
【００９９】
［例２３］
ＷＬＡＮのネットワークプロトコルスタックにおいて存在するインターネットプロトコル（ＩＰ）レイヤのＩＰパケットをカプセル化するためのレイヤ１及びレイヤ２のパケットフォーマットに従うセルラーデータトラフィックを回路は更に通信するよう構成される、例２１又は２２のいずれかに記載の方法。
【０１００】
［例２４］
ＷＬＡＮのネットワークプロトコルスタックにおいて存在するインターネットプロトコル（ＩＰ）レイヤのＩＰパケットをカプセル化するためのＷＬＡＮトンネリングプロトコル（ＷＬＴＰ）のパケットフォーマットに従うセルラーデータトラフィックを回路は更に通信するよう構成される、例２１又は２２のいずれかに記載の方法。
【０１０１】
［例２５］
ＷＬＡＮのネットワークプロトコルスタックにおいて存在するパケットデータコンバージェンスプロトコル（ＰＤＣＰ）レイヤのＰＤＣＰパケットをカプセル化するためのＷＬＡＮトンネリングプロトコル（ＷＬＴＰ）のパケットフォーマットに従うセルラーデータトラフィックを回路は更に通信するよう構成される、例２１又は２２のいずれかに記載の方法。
【０１０２】
［例２６］
ＷＬＡＮのネットワークプロトコルスタックにおいて存在する無線リンクコントロール（ＲＬＣ）レイヤのＲＬＣパケットをカプセル化するためのＷＬＡＮトンネリングプロトコル（ＷＬＴＰ）のパケットフォーマットに従うセルラーデータトラフィックを回路は更に通信するよう構成される、例２１又は２２のいずれかに記載の方法。
【０１０３】
［例２７］
インターネットプロトコル（ＩＰ）レイヤより下又はパケットデータコンバージェンスプロトコル（ＰＤＣＰ）レイヤより下に規定されたＷＬＡＮトンネリングプロトコル（ＷＬＴＰ）トンネリングレイヤにおいてセルラーデータトラフィックを通信する段階を更に備え、ＷＬＴＰトンネリングレイヤは、ＷＬＴＰカプセル化レイヤによりカプセル化されたＷＬＴＰトランスポートレイヤを含む、例２１から２２及び２４から２６のいずれかに記載の方法。
【０１０４】
［例２８］
セルラーネットワークにおけるワイヤレス通信のためのユーザ機器（ＵＥ）により実行される方法であって、ワイヤレスローカルエリアネットワーク（ＷＬＡＮ）接続を介して受信する段階と、進化型ユニバーサル地上波無線アクセスネットワークノードＢ（ｅＮＢ）によって、ユーザプレーン及び制御プレーンセルラーパケットと、ＷＬＡＮ接続にわたって受信されるユーザプレーン及び制御プレーンセルラーパケットにおけるＷＬＡＮトンネリングプロトコル（ＷＬＴＰ）パケットフォーマットを識別する段階とを備え、ＷＬＴＰパケットフォーマットはＷＬＴＰパケットヘッダ及びＷＬＴＰペイロードを有する、方法。
【０１０５】
［例２９］
ユーザデータグラムプロトコルのおいて含まれるＷＬＴＰパケットフォーマットは、ユーザデータグラムプロトコル（ＵＤＰ）／インターネットプロトコル（ＩＰ）フレームがＷＬＴＰペイロードを含むことを示す予め規定されたＵＤＰポート値を有するＵＤＰ／ＩＰフレームに有される例２８に記載の方法。
【０１０６】
［例３０］
ＷＬＴＰパケットフォーマットは、米国電気電子技術者協会（ＩＥＥＥ）８０２．２規格フレームパケットヘッダにおいて含まれるイーサタイプフィールドの予め規定された値により識別されるイーサネット（登録商標）フレームに含まれる例２８に記載の方法。
【０１０７】
［例３１］
ＷＬＴＰペイロードは、ＷＬＡＮ接続を経由してＵＥとｅＮＢとの間に交換される、インターネットプロトコル（ＩＰ）パケット、パケットデータコンバージェンスプロトコル（ＰＤＣＰ）パケット、無線リソース制御（ＲＲＣ）パケット、又は制御メッセージの形式であり得る、例２８から３０のいずれかに記載の方法。
【０１０８】
［例３２］
ＷＬＴＰパケットヘッダは、セルラーパケットのシーケンシャルな順序を確立すべくシーケンス番号を含む、例２８から３１のいずれかに記載の方法。
【０１０９】
［例３３］
ＷＬＴＰパケットヘッダは、ＷＬＴＰペイロードをＷＬＡＮ接続のサービス品質（ＱｏＳ）を表す情報を含むものとして識別する例２８から３２のいずれかに記載の方法。
【０１１０】
［例３４］
ＷＬＴＰパケットヘッダは、ＷＬＴＰペイロードをＷＬＴＰペイロードについてのデータ無線ベアラの識別子を含むものとして識別する、例２８から３３のいずれかに記載の方法。
【０１１１】
［例３５］
実行された場合、例１５から３４のいずれか１つに記載の方法を実装する機械可読命令を備える機械可読ストレージ。
【０１１２】
［例３６］
例１５から３４のいずれか１つに記載の方法を実行するための手段を備えるシステム。
【０１１３】
［例３７］
例１５から２０のいずれか１つに記載の方法を実行するためのロジックを備えるＵＥ。
【０１１４】
１又は複数の実装の上記の説明は、網羅的であること又は本発明の範囲を開示された正確な形式に限定することを意図するものではない。修正形態及び変更形態が上記の教示に照らして可能であり、又は本発明の様々な実装を実施することから取得され得る。
【０１１５】
本発明の根本的な原理から逸脱することなく、上に説明された実施形態の詳細に対して、多くの変更がなされてよいことが当業者により理解されるであろう。従って、本発明の範囲は、以下の特許請求の範囲によってのみ決定されるべきである。
［項目１］
セルラーデータ及びコントロールトラフィックを通信するためのユーザ機器（ＵＥ）であって、
ロングタームエボリューション（ＬＴＥ）ワイヤレスネットワークの無線インタフェースを介してセルラーコントロールトラフィックを進化型ユニバーサル地上波無線アクセスネットワークノードＢ（ｅＮＢ）と通信し、
ワイヤレスローカルエリアネットワーク（ＷＬＡＮ）において、ＷＬＡＮポイントツーポイント通信リンクを介した上記ｅＮＢを有するセルラーデータトラフィックの通信のために上記ｅＮＢを有する上記ＷＬＡＮポイントツーポイント通信リンクを確立し、
上記セルラーデータトラフィックを上記ＷＬＡＮポイントツーポイント通信リンクを介して上記ｅＮＢへ通信する回路を備えるＵＥ。
［項目２］
上記ＷＬＡＮポイントツーポイント通信リンクは一組のＷＬＡＮポイントツーポイント通信リンクを備え、上記一組のＷＬＡＮポイントツーポイント通信リンクの各メンバは、上記ｅＮＢからの制御メッセージにおいて受信されるデータ無線ベアラ（ＤＲＢ）識別子により識別される、項目１に記載のＵＥ。
［項目３］
上記ＷＬＡＮのネットワークプロトコルスタックにおいて存在するインターネットプロトコル（ＩＰ）レイヤの複数のＩＰパケットをカプセル化するためのレイヤ１及びレイヤ２のパケットフォーマットに従う上記セルラーデータトラフィックを上記回路は更に通信する項目１又は２に記載のＵＥ。
［項目４］
上記ＷＬＡＮのネットワークプロトコルスタックにおいて存在するインターネットプロトコル（ＩＰ）レイヤの複数のＩＰパケットをカプセル化するためのＷＬＡＮトンネリングプロトコル（ＷＬＴＰ）パケットフォーマットに従って上記セルラーデータトラフィックを上記回路は更に通信する項目１又は２に記載のＵＥ。
［項目５］
上記ＷＬＡＮのネットワークプロトコルスタックにおいて存在するパケットデータコンバージェンスプロトコル（ＰＤＣＰ）レイヤの複数のＰＤＣＰパケットをカプセル化するためのＷＬＡＮトンネリングプロトコル（ＷＬＴＰ）パケットフォーマットに従って上記セルラーデータトラフィックを上記回路は更に通信する項目１又は２に記載のＵＥ。
［項目６］
上記ＷＬＡＮのネットワークプロトコルスタックにおいて存在する無線リンクコントロール（ＲＬＣ）レイヤの複数のＲＬＣパケットをカプセル化するためのＷＬＡＮトンネリングプロトコル（ＷＬＴＰ）パケットフォーマットに従って上記セルラーデータトラフィックを上記回路は更に通信する項目１又は２に記載のＵＥ。
［項目７］
インターネットプロトコル（ＩＰ）レイヤより下又はパケットデータコンバージェンスプロトコル（ＰＤＣＰ）レイヤより下に規定されたＷＬＡＮトンネリングプロトコル（ＷＬＴＰ）トンネリングレイヤにおいて上記セルラーデータトラフィックを上記回路は更に通信し、上記ＷＬＴＰトンネリングレイヤは、ＷＬＴＰカプセル化レイヤによりカプセル化されたＷＬＴＰトランスポートレイヤを含む、項目１又は２に記載のＵＥ。
［項目８］
セルラーネットワークにおけるワイヤレス通信のためのユーザ機器（ＵＥ）であって、
ワイヤレスローカルエリアネットワーク（ＷＬＡＮ）接続を介して受信する無線周波数受信機と、
進化型ユニバーサル地上波無線アクセスネットワークノードＢ（ｅＮＢ）によって、ユーザプレーン及び制御プレーンセルラーパケットと、
上記ＷＬＡＮ接続にわたって受信される上記ユーザプレーン及び上記制御プレーンセルラーパケットにおけるＷＬＡＮトンネリングプロトコル（ＷＬＴＰ）パケットフォーマットを識別するベースバンドコントローラとを備え、上記ＷＬＴＰパケットフォーマットはＷＬＴＰパケットヘッダ及びＷＬＴＰペイロードを有する、ＵＥ。
［項目９］
上記ＷＬＴＰパケットフォーマットは、ユーザデータグラムプロトコル（ＵＤＰ）／インターネットプロトコル（ＩＰ）フレームに含まれ、上記ＵＤＰ／ＩＰフレームは、上記ＷＬＴＰペイロードを含むことを示す予め規定されたＵＤＰポート値を有する、項目８に記載のＵＥ。
［項目１０］
上記ＷＬＴＰパケットフォーマットは、米国電気電子技術者協会（ＩＥＥＥ）８０２．２規格フレームパケットヘッダにおいて含まれるイーサタイプフィールドの予め規定された値により識別されるイーサネット（登録商標）フレームに含まれる項目８に記載のＵＥ。
［項目１１］
上記ＷＬＴＰペイロードは、上記ＷＬＡＮ接続を経由して上記ＵＥと上記ｅＮＢとの間に交換される、インターネットプロトコル（ＩＰ）パケット、パケットデータコンバージェンスプロトコル（ＰＤＣＰ）パケット、無線リソース制御（ＲＲＣ）パケット、又は制御メッセージの形式であり得る、項目８から１０のいずれか１項に記載のＵＥ。
［項目１２］
上記ＷＬＴＰパケットヘッダは、セルラーパケットのシーケンシャルな順序を確立すべくシーケンス番号を含む、項目８から１０のいずれか１項に記載のＵＥ。
［項目１３］
上記ＷＬＴＰパケットヘッダは、上記ＷＬＴＰペイロードを上記ＷＬＡＮ接続のサービス品質（ＱｏＳ）を表す情報を含むものとして識別する項目８から１０のいずれか１項に記載のＵＥ。
［項目１４］
上記ＷＬＴＰパケットヘッダは、上記ＷＬＴＰペイロードを上記ＷＬＴＰペイロードについてのデータ無線ベアラの識別子を含むものとして識別する、項目８から１０のいずれか１項に記載のＵＥ。
［項目１５］
クライアントと基地局とのＹｙインタフェースにより規定されるワイヤレスローカルエリアネットワーク（ＷＬＡＮ）ポイントツーポイント通信リンクを確立する方法であって、
上記クライアントと上記基地局とのＵｕインタフェースを介して第１の制御メッセージを上記基地局から受信する段階と、
上記ＷＬＡＮポイントツーポイント通信リンクを識別するための上記基地局から提供される第１の識別子を上記第１の制御メッセージから判断する段階と、
上記基地局に第２の制御メッセージを送信し、上記ＷＬＡＮポイントツーポイント通信リンクを識別するために上記クライアントにより提供される第２の識別子を提供する段階とを備え、
上記第１の識別子及び上記第２の識別子は、上記クライアント及び上記基地局の上記Ｙｙインタフェースにより規定される上記ＷＬＡＮポイントツーポイント通信リンクを集合的に識別する、方法。
［項目１６］
ユーザ機器（ＵＥ）毎のベースで、上記ＷＬＡＮポイントツーポイント通信リンクを確立するための上記第１の識別子として、上記基地局の媒体アクセス制御（ＭＡＣ）アドレスを受信する段階を更に備える、項目１５に記載の方法。
［項目１７］
上記ＷＬＡＮポイントツーポイント通信リンクは、上記クライアントの複数のデータ無線ベアラ（ＤＲＢ）に対応する複数のＷＬＡＮポイントツーポイントリンクを有する、項目１５に記載の方法。
［項目１８］
複数のデータ無線ベアラ（ＤＲＢ）に関連付けられた予め規定されたサービス品質（ＱｏＳ）パラメータの適用のために、対応する上記複数のＤＲＢへの上記ＷＬＡＮポイントツーポイント通信リンクを介して受信されるセルラートラフィックを上記基地局がマッピングすることを許容すべく、上記クライアントから通信されるパケットヘッダ情報におけるＤＲＢ情報を通信する段階を更に備える項目１５に記載の方法。
［項目１９］
上記第１の制御メッセージは、ｅＮＢでサポートされた多数のデータ無線ベアラ（ＤＲＢ）を示す無線リソース制御（ＲＲＣ）メッセージを有する、項目１５に記載の方法。
［項目２０］
上記Ｙｙインタフェースを介して第３の制御メッセージを送信する段階を更に備える、項目１５に記載の方法。
［項目２１］
実行された場合、項目１５から２０のいずれか１項に記載の方法を実装する機械可読命令を備える機械可読ストレージ。
［項目２２］
項目１５から２０のいずれか１項に記載の方法を実行するための手段を備えるシステム。
［項目２３］
項目１５から２０のいずれか１項に記載の方法を実行するためのロジックを備えるＵＥ。
【図１】
0006376478.tif 000002
【図２】
0006376478.tif 000003
【図３】
0006376478.tif 000004
【図４】
0006376478.tif 000005
【図５】
0006376478.tif 000006
【図６】
0006376478.tif 000007
【図７】
0006376478.tif 000008
【図８】
0006376478.tif 000009
【図９】
0006376478.tif 000010